(57)【要約】      （修正有）【課題】多様な商品に長期にわたり使用でき、高い集客、広告及び販売促進の効果が得られるびっくり箱型広告宣伝媒体を提供する。【解決手段】箱の内側に、押しバネで下から支えた板と、ギア、ガイドレール、紐などを配し、箱の内側または外側にモーターを配することで、モーター駆動時に板がゆっくりと下がる・勢いよく上がる・上がった状態で停止するという一連の動作を繰り返す。板の上に商品模型などを設置し、必要に応じて人体を感知するセンサーと音声を発する装置を接続する。【選択図】図１
0003160331.tif 000002
【実用新案登録請求の範囲】
【請求項１】
箱の内側に商品模型などを載せる板と板を下から支える押しバネを配し、板の中央下部に紐を取り付け、紐を引くと板が下がり、紐を緩めると板が上がるようにし、箱の内側または外側にモーターを配し、箱の内側にギアを配し、モーターの動力でギアが回るようにし、箱の内側には上下に動かすことができる金具（１１）を内部に配したガイドレールを配し、ギアの一端に取り付けた引っ掛け回転体（１０）がギアの回転に伴い金具（１１）を押し上げるようにガイドレールと引っ掛け回転体（１０）またはギアの位置を調整し、板の中央下部に取り付けた紐の他方の端を金具（１１）に取り付け、紐の絡まりを防ぐためにガイドレールの下方付近と板中央下方付近に滑車等を配することで、モーターを駆動したときにその動力がギア、引っ掛け回転体（１０）、金具（１１）、紐、板へと順に伝わり、板がゆっくりと下がる・勢いよく上がる・上がった状態で停止するという一連の動作を繰り返し、板の上に商品模型などを固定したのち商品陳列棚周辺や店頭周辺に設置して稼働することで消費者の注目を集め、販売促進効果が得られることを特徴とするびっくり箱型広告宣伝媒体。
【請求項２】
請求項１記載のびっくり箱型広告宣伝媒体と、人体の存在の有無を感知するセンサー及び当該センサーから発せられる電気信号を制御する電子回路とを配線等で接続することで、人間の存在をセンサーが感知したときに一定時間稼働することを特徴とする請求項１記載のびっくり箱型広告宣伝媒体。
【請求項３】
請求項２記載のびっくり箱型広告宣伝媒体と、録音した音声または合成した音声を再生する機能を持つ電子回路及びスピーカーとを配線等で接続することで、人間の存在をセンサーが感知したときに一定時間稼働するとともに、宣伝広告のための音声が発せられることを特徴とする請求項２記載のびっくり箱型広告宣伝媒体。
【考案の詳細な説明】
【技術分野】
【０００１】  本考案は、店舗や事務所の出入り口付近や商品陳列棚付近などに設置し、商品模型などが飛び出すびっくり箱型宣伝広告媒体に関する。
【背景技術】
【０００２】  集客や販売を促進するために店舗や事務所の出入り口付近又は商品陳列棚付近に人形や看板を置くことは従来から一般的に行われてきたが、より人目を引くための工夫が大切である。【０００３】  例えば、商品陳列棚付近に小型ＤＶＤプレーヤーを設置して、宣伝広告のための映像と音を流すなどの工夫がなされている。【０００４】  また例えば、店頭付近にピエロ風の人形が太鼓をたたく動く看板や蟹の足が動く看板あるいはラーメンどんぶりから水蒸気が出る看板やラーメンどんぶりの上に位置する麺と箸が上下に動く看板を設置するなど、いろいろな工夫がされている。【０００５】  また、人形にパンチなどの衝撃を与えると、宣伝文句や挨拶の音声を発する自立型広告装置が考案されている（特許文献１）。
【先行技術文献】
【特許文献】
【０００６】
【特許文献１】  登録実用新案第３０６５７８２号公報
【考案の概要】
【考案が解決しようとする課題】
【０００７】  しかしながら、動くことなどで目立つ看板は、次第に陳腐化し、十分な広告・集客及び販売促進効果が得られなくなることもある。【０００８】  また、特許文献１の自立型広告装置は、来客者が当該装置に衝撃を与えることで、意図する広告・集客等の効果が得られるため、維持管理と耐久性に難点がある。【０００９】  本考案になるびっくり箱型宣伝広告媒体は、高い広告・集客・及び販売促進の効果を得るに加え、陳腐化を避け、維持管理および耐久性にも必要かつ十分な配慮をすることを目的の一つとする。
【課題を解決するための手段】
【００１０】  展示用商品模型などを載せる板（１）を箱（２）の内部に配し、押しバネ（３）で板（１）を下から支え、板（１）の中央下部には、紐（５）の一端を取り付けた紐取り付け突起（４）を取り付ける。【００１１】  箱（２）の内部又は外部に、回転軸にギア（７）を取り付けた駆動モーター（６）を取り付ける。【００１２】  箱（２）の内部に、ギア（８）と、引っ掛け回転体（１０）を取り付けたギア（９）を回転軸（１３）により取り付ける。【００１３】  駆動モーター（６）の動力は、ギア（８）とギア（９）を経て引っ掛け回転体（１０）に伝わる。【００１４】  紐引張り金具（１１）が内側で上下に移動できる金属などのガイドレール（１２）を箱（２）の内部に取り付ける。【００１５】  ガイドレール（１２）は、引っ掛け回転体（１０）が回転したときに引っ掛け回転体（１０）の先端が紐引張り金具（１１）に引っ掛かり、紐引張り金具（１１）が上下することになる位置に配する。【００１６】  ガイドレール（１２）の下部付近には、紐（５）の絡みを防止するための滑車等（１４）を配する。【００１７】  ［００１０］において紐取り付け突起（４）に取り付けた紐（５）の他方の端を紐引張り金具（１１）に取り付ける。【００１８】  紐取り付け突起（４）の下部付近に、紐（５）の絡まりを防ぐための滑車等（１４）を配する。【００１９】  焦電型赤外センサー等の人の動きを感知するセンサー（１５）とセンサーから発する電気信号を処理する電子回路（１６）を配線等により接続し、箱（２）の外部または内部に配する。【００２０】  録音した音声または合成した音声を再生する機能を持つ電子回路とスピーカー（１７）（以下「音声装置」という。）を箱（２）の外部または内部に配する。【００２１】  バッテリーまたはＤＣアダプターまたはＡＣアダプター（１８）（以下「電源」という。）を箱（２）の外部または内部に配する。【００２２】  電子回路（１６）と音声装置（１７）と駆動モーター（６）と電源（１８）を配線等により接続する。【００２３】  以上のように構成することで、センサー（１５）が人の動きを感知した時に、一定時間展示用商品模型が箱（２）から勢いよく飛び出す動きとゆっくり引っ込む動きを繰り返し、同時に宣伝用の音声が発せられる。
【考案の効果】
【００２４】  動く宣伝広告媒体である本考案になるびっくり箱が消費者の注意をひき、売り上げの増加につながる。
【図面の簡単な説明】
【００２５】
【図１】（ａ）は、停止時の側面概略図である。（ｂ）は、駆動モーター（６）が駆動し、板（１）が下がった時の側面概略図である。
【図２】は、センサー（１５）、電子回路（１６）、音声装置（１７）、電源（１８）と本考案になるびっくり箱との配線等による接続の一例を示す図である。本考案になるびっくり箱は上面概略図である。
【図３】（ｃ）は、駆動モーター（６）から伝わる動力でギア（９）と引っ掛け回転体（１０）とが回転し、引っ掛け回転体（１０）が紐引張り金具（１１）をガイドレール（１２）にそって上方に押し上げる直前時の概略図である。（ｄ）は、駆動モーター（６）から伝わる動力でギア（９）と引っ掛け回転体（１０）とが回転し、引っ掛け回転体（１０）が紐引張り金具（１１）をガイドレール（１２）にそって上方に押し上げた後、引っ掛け回転体（１０）と紐引張り金具（１１）との引っ掛かりがとれる直前時の概略図である。
【符号の説明】
【００２６】１・・・・・・・板
２・・・・・・・箱
３・・・・・・・押しバネ
４・・・・・・・紐取り付け突起
５・・・・・・・紐
６・・・・・・・駆動モーター
７・・・・・・・ギア
８・・・・・・・ギア
９・・・・・・・ギア
１０・・・・・・引っ掛け回転体
１１・・・・・・紐引張り金具
１２・・・・・・ガイドレール
１３・・・・・・回転軸
１４・・・・・・滑車等
１５・・・・・・センサー
１６・・・・・・電子回路
１７・・・・・・音声装置
１８・・・・・・電源
１９・・・・・・配線等
【考案を実施するための形態】
【００２７】  板（１）の上に商品模型などを固定し、モーター（６）を駆動することにより、商品模型が箱（２）の中にゆっくり入り込む、箱（２）の中から勢いよく飛び出す、箱（２）から出た状態で停止する、という一連の動きを繰り返し、消費者の注目を集め、販売促進に寄与する。
【実施例】
【００２８】  例えば商品陳列棚の脇などに本考案になる装置を設置することにより、人が近づいて来たことをセンサー（１５）が感知し、その後数１０秒間ないし数分間装置が動作し、同時に宣伝音声が流れる。
【産業上の利用可能性】
【００２９】  装置内の板（１）に設置する商品模型などを変えることにより、多様な商品にかつ長期にわたり販売促進効果を期待でき、陳腐化の心配も少ない。ゆえに本考案になる装置の満足度を高め、さらなる購買意欲を喚起し、産業の発展に寄与することができる。
【図１】
0003160331.tif 000003
【図２】
0003160331.tif 000004
【図３】
0003160331.tif 000005
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
箱の内側に商品模型などを載せる板と板を下から支える押しバネを配し、板の中央下部に紐を取り付け、紐を引くと板が下がり、紐を緩めると板が上がるようにし、箱の内側または外側にモーターを配し、箱の内側にギアを配し、モーターの動力でギアが回るようにし、箱の内側には上下に動かすことができる金具（１１）を内部に配したガイドレールを配し、ギアの一端に取り付けた引っ掛け回転体（１０）がギアの回転に伴い金具（１１）を押し上げるようにガイドレールと引っ掛け回転体（１０）またはギアの位置を調整し、板の中央下部に取り付けた紐の他方の端を金具（１１）に取り付け、紐の絡まりを防ぐためにガイドレールの下方付近と板中央下方付近に滑車を配することで、モーターを駆動したときにその動力がギア、引っ掛け回転体（１０）、金具（１１）、紐、板へと順に伝わり、板がゆっくりと下がる・勢いよく上がる・上がった状態で停止するという一連の動作を繰り返し、板の上に商品模型などを固定したのち商品陳列棚周辺や店頭周辺に設置して稼働することで消費者の注目を集め、販売促進効果が得られることを特徴とするびっくり箱型広告宣伝媒体。
【請求項２】
人体の存在の有無を感知するセンサーを配線等で接続した当該センサーから発せられる電気信号を制御する電子回路をモーターに配線等で接続することで、人体の存在をセンサーが感知したときに一定時間稼働することを特徴とする請求項１記載のびっくり箱型広告宣伝媒体。
【請求項３】
スピーカーを配線等で接続した録音した音声または合成した音声を再生する機能を持つ電子回路と人体の存在の有無を感知するセンサーから発せられる電気信号を制御する電子回路を配線等で接続することで、人体の存在をセンサーが感知したときに一定時間稼働するとともに、宣伝広告のための音声が発せられることを特徴とする請求項２記載のびっくり箱型広告宣伝媒体。